(57)【特許請求の範囲】
【請求項１】
電気機器収納用箱の扉を開閉するハンドルの嵌め込み孔を有するベース部と、該ベース部の全面を被覆するカバー部を有し、
ベース部に重ねたカバー部をスライドさせて両部を嵌合するスライド式嵌合構造を有し、
スライド式嵌合構造が、ベース部の外周を立ち上げた立壁部又はカバー部の外周を立ち上げた立壁部の一方に形成した係合凹部、および、ベース部の外周を立ち上げた立壁部又はカバー部の外周を立ち上げた立壁部の他方に形成した突起部から構成され、該突起部は、該係合凹部に挿入後、ベース部およびカバー部が嵌合する位置までスライドして係止され、
該係合凹部の下端部に凸部が形成され、該凸部を垂直方向に乗り越えて、突起部をスライドさせることを特徴とする電気機器収納用箱のハンドル用カバー。
【請求項２】
ベース部およびカバー部が嵌合状態において、該係合凹部が該突起部の直上部に位置し、
該突起部は、該係合凹部に挿入後、下向きにスライドして係止されることを特徴とする請求項１記載の電気機器収納用箱のハンドル用カバー。
【請求項３】
ベース部の立壁部は、ハンドルの嵌め込み孔の外縁から距離をもって立ち上げられていることを特徴とする請求項１または２記載の電気機器収納用箱のハンドル用カバー。
【請求項４】
ベース部の上側立壁部の先端には、突起部を備え、カバー部には、ベース部およびカバー部が嵌合する位置で該突起部を係止する係止部を備えることを特徴とする請求項１〜３のいずれかに記載の電気機器収納用箱のハンドル用カバー。
【請求項５】
ベース部には、下側立壁部を切り欠いて形成した開口部と、該開口部に隣接する段部を備え、カバー部には、ベース部およびカバー部が嵌合する位置で該開口部および段部と係止して開口部を塞ぐ下壁部を備えることを特徴とする請求項１〜４のいずれかに記載の電気機器収納用箱のハンドル用カバー。
【発明の詳細な説明】
【技術分野】
【０００１】
本発明は、電気機器収納用箱のハンドル用カバーに関するものである。
【背景技術】
【０００２】
屋外に設置される電気機器収納用箱のハンドルを、塩害や風雨による錆や汚れ等から保護するハンドル用カバーの構造として、例えば特許文献１には、ハンドル全体を覆うキャップ部材と該キャップ部材を固定するベース部材を使用し、ベース部材をハンドル上部に両面テープで固定し、キャップ部材の上部に設けた結合軸部をベース部材に設けた孔部に枢着させた上で、キャップ部材の下部をハンドル下部に設けた溝部に係合させる構造が開示されている。ここで、キャップ部材とベース部材は、耐久性および耐候性の観点から、合成ゴムによって作成されることが一般的である。
【０００３】
しかし、合成ゴム等の軟質材を嵌め合せる際には、反発や抵抗が生じ、1度目の嵌め合わせでは全周をうまく嵌合させることが出来ず、浮いた部分を何度も押し付けながら調整を行う等の手間が煩雑である問題があった。また、密閉が不十分な嵌合状態で放置した場合には隙間から埃や水滴が侵入してしまう問題や、振動や強風によってキャップ部材が外れてしまう問題があった。
【先行技術文献】
【特許文献】
【０００４】
【特許文献１】特許２９０１９７０号公報
【発明の概要】
【発明が解決しようとする課題】
【０００５】
本発明の目的は前記を解決し、耐久性および耐候性に優れた合成ゴム等の軟質材を嵌め合せて電気機器収納用箱のハンドルを被覆する際に、1度目の嵌め合わせ作業で、簡単に、かつ、正確な位置に嵌め合わせをすることができるハンドル用カバーを提供することである。
【課題を解決するための手段】
【０００６】
上記課題を解決するためになされた本発明の電気機器収納用箱のハンドル用カバーは、電気機器収納用箱の扉を開閉するハンドルの嵌め込み孔を有するベース部と、該ベース部の全面を被覆するカバー部を有し、ベース部に重ねたカバー部をスライドさせて両部を嵌合するスライド式嵌合構造を有し、スライド式嵌合構造が、ベース部の外周を立ち上げた立壁部又はカバー部の外周を立ち上げた立壁部の一方に形成した係合凹部、および、ベース部の外周を立ち上げた立壁部又はカバー部の外周を立ち上げた立壁部の他方に形成した突起部から構成され、該突起部は、該係合凹部に挿入後、ベース部およびカバー部が嵌合する位置までスライドして係止され、該係合凹部の下端部に凸部が形成され、該凸部を垂直方向に乗り越えて、突起部をスライドさせることを特徴とするものである。
【０００７】
【０００８】
請求項２記載の発明は、請求項１記載の電気機器収納用箱のハンドル用カバーにおいて、ベース部およびカバー部が嵌合状態において、該係合凹部が該突起部の直上部に位置し、該突起部は、該係合凹部に挿入後、下向きにスライドして係止されることを特徴とするものである。
【０００９】
【００１０】
請求項３記載の発明は、請求項１または２記載の電気機器収納用箱のハンドル用カバーにおいて、ベース部の立壁部は、ハンドルの嵌め込み孔の外縁から距離をもって立ち上げられていることを特徴とするものである。
【００１１】
請求項４記載の発明は、請求項１〜３のいずれかに記載の電気機器収納用箱のハンドル用カバーにおいて、ベース部の上側立壁部の先端には、突起部を備え、カバー部には、ベース部およびカバー部が嵌合する位置で該突起部を係止する係止部を備えることを特徴とするものである。
【００１２】
請求項５記載の発明は、請求項１〜４のいずれかに記載の電気機器収納用箱のハンドル用カバーにおいて、ベース部には、下側立壁部を切り欠いて形成した開口部と、該開口部に隣接する段部を備え、カバー部には、ベース部およびカバー部が嵌合する位置で該開口部および段部と係止して開口部を塞ぐ下壁部を備えることを特徴とするものである。
【発明の効果】
【００１３】
本発明に係る電気機器収納用箱のハンドル用カバーは、電気機器収納用箱の扉を開閉するハンドルの嵌め込み孔を有するベース部と、該ベース部の全面を被覆するカバー部を有し、ベース部に重ねたカバー部をスライドさせて両部を嵌合するスライド式嵌合構造を有することにより、カバー部とベース部の両方または少なくとも一方が合成ゴム等の軟質材の場合であっても、1度目の嵌め合わせ作業で、簡単に、かつ、正確な位置に嵌め合わせをすることができる。スライド式嵌合構造は、ベース部の外周を立ち上げた立壁部又はカバー部の外周を立ち上げた立壁部の一方に形成した係合凹部、および、ベース部の外周を立ち上げた立壁部又はカバー部の外周を立ち上げた立壁部の他方に形成した突起部から構成し、該突起部を、該係合凹部に挿入後、ベース部およびカバー部が隙間なく嵌合する位置までスライドして係止する構造とする。また、本発明では、係合凹部の下端部に凸部が形成され、該凸部を垂直方向に乗り越えて、突起部をスライドさせる構成を採用しているため、嵌合後に、突起部の上方へのずれを効果的に防止することができる。また、凸部を垂直方向に乗り越える感触により、作業者に嵌合状態を認識させ嵌合作業をより確実に行うことができる。また、凸部を乗り越える際にカバー部もしくはベース部の立壁部がハンドル方向に撓んで嵌合されるものである。
【００１４】
ベース部およびカバー部が嵌合状態において、該係合凹部が該突起部の直上部に位置し、該突起部を、該係合凹部に挿入後、下向きにスライドして係止する構成からなる請求項２記載の発明によれば、ベース部およびカバー部が嵌合状態においては、カバー部の立壁部の上端部がベース部の立壁部の上端部よりわずかに突出されており、カバー部のスライド距離を最小限に抑えつつの嵌合作業が可能となり、電気機器収納用箱のハンドルの上部に十分な空間が確保できない場合でも、スムーズにカバーの取り付け作業を行うことができる。
【００１５】
【００１６】
ベース部の立壁部を、ハンドルの嵌め込み孔の外縁から距離をもって立ち上げる構成からなる請求項３記載の発明によれば、嵌合作業時に、立壁部がハンドル方向に撓む距離を確保することができ、嵌合作業の作業性の向上を図ることができる。
【００１７】
ベース部の上側立壁部の先端には、突起部を備え、カバー部には、ベース部およびカバー部が嵌合する位置で該突起部を係止する係止部を備える構成からなる請求項４記載の発明によれば、嵌合後に、カバー部の前面方向へのずれを効果的に防止することができる。
【００１８】
ベース部には、下側立壁部を切り欠いて形成した開口部と、該開口部に隣接する段部を備え、カバー部には、ベース部およびカバー部が嵌合する位置で該開口部および段部と係止して開口部を塞ぐ下壁部を備える構成からなる請求項５記載の発明によれば、開口部を下壁部で塞ぐ構成によりスライド式嵌合構造における防水・防塵機能を確保するとともに、開口部に隣接する段部を備える構成により水分等が外部から侵入する際の侵入距離を長く確保し、内部への侵入を効果的に防止することができる。
【図面の簡単な説明】
【００１９】
【図１】ハンドル用カバーのベース部とカバー部が嵌合され、ハンドルが覆われた電気機器収納用箱の全体説明図である。
【図２】図１において、ベース部とカバー部が嵌合しておらず、ハンドルを露出した電気機器収納用箱の全体説明図である。
【図３】ハンドル用カバーの全体説明図である。
【図４】図３の正面図である。
【図５】ハンドル用カバーの嵌合作業説明図である。
【図６】ハンドル用カバー下部の嵌合構造説明図である。
【図７】ハンドル用カバーの断面図である。
【発明を実施するための形態】
【００２０】
以下に本発明の好ましい実施形態を示す。
本発明のハンドル用カバー２は、図１、２に示すように、電気機器収納用箱１のハンドル３を覆うように取り付けて使用される。図２に示すハンドル３は、使用時にハンドル取手を操作位置に突出させる平面ハンドル３であり、ハンドル用カバー２は、該平面ハンドル３を嵌め込むハンドル嵌め込み孔６を有するベース部４と、該ベース部４の全面を被覆するようにベース部より一回り大きく形成されたカバー部５を有している。本実施形態のハンドル用カバー２は、図２〜４に示すように、ベース部４とカバー部５とを連結する連結部７を有しているが、連結部７を有さない構造とすることもできる。
【００２１】
本実施形態のハンドル用カバー２は、ベース部４のハンドル嵌め込み孔６に平面ハンドル３を嵌め込んだ後、電気機器収納用箱１の扉８に取り付け、扉８の内側から取付具で固定させたものである。ただし、ハンドルは、平面ハンドルに限定するものではなく、シリンダ錠など、取外し可能ハンドルであってもよい。
【００２２】
本実施形態のハンドル用カバー２は、塩害や風雨または塵などにより錆や汚れ等から保護するため耐久性および耐候性に優れた合成ゴムから構成しているが、ハンドル用カバー２の構成部材は合成ゴムに限定されず、他の軟質材から構成してもよいし、ベース部４とカバー部５とを異なる軟質材から構成したり、硬質材と軟質材を組み合わせた構成とすることもできる。
【００２３】
（ベース部）
ベース部４には、外周を立ち上げて立壁部９が形成されており、立壁部９の周縁には外側に突出させた突起部１０が形成されている。立壁部９は、ハンドル嵌め込み孔６の外縁から距離をもって立ち上げられている。当該構造によって、嵌合作業時に、立壁部がハンドル方向に撓む距離を確保し、嵌合作業の作業性の向上を図っている。
【００２４】
ベース部４の左右両端にある立壁部９の上下方向中心部分には、ベース部４とカバー部５との嵌合作業時に、カバー部５に形成した突起部１２を挿入する係合凹部１１が形成されている。係合凹部１１の下部には、嵌合部１４が形成されている。カバー部５の突起部１２は、図５に示すように、ベース部４の係合凹部１１に挿入後、ベース部４およびカバー部５が嵌合する位置までスライドして係止されるが、該嵌合位置において、カバー部５の突起部１２は、ベース部４の嵌合部１４に係止されている。
【００２５】
係合凹部１１と嵌合部１４との間には、図５に示すように、凸部１３が形成されており、カバー部５の突起部１２は、ベース部４の係合凹部１１に挿入後、該凸部１３を垂直方向に乗り越えて下方向にスライドされる。当該構造により、嵌合後に、突起部の上方へのずれを効果的に防止するとともに、凸部１３を垂直方向に乗り越える感触により、作業者に嵌合状態を認識させ嵌合作業が、より確実に行えるようになっている。また、凸部を乗り越える際にベース部４もしくはカバー部５の立壁部がハンドル嵌め込み孔６方向に撓んで嵌合されるものである。
【００２６】
ベース部４の下側には、立壁部９の一部を切り欠いて形成した開口部１５と、該開口部１５に隣接する段部１６が形成されている。立壁部９の強度を確保し、嵌合作業時の変形を防止する観点から、開口部１５は、ベース部４の下側の中央部に形成し、ベース部４の下側両端部には立壁部９が連なる構造とすることが好ましい。
【００２７】
嵌合部１４の下方には、ハンドル用カバー２の内部からの水の逃げ道を確保するために、水抜用切欠部１７が形成されている。
【００２８】
（カバー部）
カバー部５も、前記ベース部４と同様に、外周を立ち上げて立壁部１８が形成されている。カバー部５の左右両端にある該立壁部１８の上下方向中心部分より下方にずらした位置に、前記の突起部１２が形成されている。突起部１２は、ベース部４およびカバー部５が嵌合する位置において、ベース部４の係合凹部１１が該突起部１２の直上部に位置にくるように形成されている。当該構造により、該突起部１２を、該係合凹部１１に挿入時に、カバー部５の立壁部１８の上端部がベース部４の立壁部９の上端部より突起部１２を上下方向中心部分よりずらした分だけ突出された状態となり、下向きにスライドして係止する際、カバー部５のスライド距離を最小限に抑えることができ、電気機器収納用箱１のハンドル３の上部に十分な空間が確保できない場合でも、スムーズにカバーの取り付け作業を行うことができる。なお、本実施例においてはカバー部５に突起部１２、ベース部４に係合凹部１１を形成するような構造として説明したが、突起部１２をベース部４に、係合凹部１１をカバー部５に形成するようなものでも良いことは勿論である。
【００２９】
カバー部５には、ベース部４およびカバー部５が嵌合する位置で、前記ベース部４の突起部１０を係止する係止部１９が形成されている。ベース部４の突起部１０をカバー部５の係止部１９で係止する構造により、ベース部４とカバー部５との嵌合後に、カバー部５の前面方向へズレたり、倒れたりすることを効果的に防止することができる。係止部１９の形状を特に限定されず、円弧状の突起部１０の全部を係止するものであってもよいし、一部を係止するものであってもよい。
【００３０】
カバー部５には、図６に示すように、ベース部４およびカバー部５が嵌合する位置で、前記ベース部４の開口部１５を塞ぐ下壁部２０が形成されている。カバー部５の立壁部１８と下壁部２０の間にスリット２２が形成してあり、スリット２２に、ベース部４の立壁部９が侵入しスライド可能になるものである。ベース部４とカバー部５を嵌合させたときカバー部５のスリット部２２を防ぐ閉塞部２３をベース部４の立壁部９の下端部から形成している。閉塞部２３はスリット部２２を防ぐだけではなく、立壁部９自体の変形を防止する補強の役目をも持つものである。なお、ベース部４の閉塞部２３には段部１６を形成しており、また、段部１６に対応する部分であるカバー部５のスリット２２周縁や下壁部２０周縁も同様に段部形状とし、ベース部４とカバー部５が嵌合したとき互いの段部が重なりあうように形成している。このように段部形状とすることにより、経路を長くし水の浸入を防ぎ、防水性能を高めるものである。
【００３１】
その他、カバー部５には、図７に示すように、カバー部５の補強を目的として、開口方向に突出したリブ２１が形成されている。リブ２１は、バー部を閉じた時、ハンドル３の上面に当接し、カバー部５に強い水流が当たった際にも、カバー部５が変形することを防ぐ作用を奏する。
【符号の説明】
【００３２】
１  電気機器収納用箱
２  ハンドル用カバー
３  ハンドル
４  ベース部
５  カバー部
６  ハンドル嵌め込み孔
７  連結部
８  扉
９  立壁部
１０  突起部
１１  係合凹部
１２  突起部
１３  凸部
１４  嵌合部
１５  開口部
１６  段部
１７  水抜用切欠部
１８  立壁部
１９  係止部
２０  下壁部
２１  リブ
２２  スリット
２３  閉塞部
【図１】
0005691044.tif 000002
【図３】
0005691044.tif 000003
【図４】
0005691044.tif 000004
【図５】
0005691044.tif 000005
【図６】
0005691044.tif 000006
【図７】
0005691044.tif 000007
【図２】
0005691044.tif 000008